(57)【要約】      （修正有）【課題】従来のロースターで食べ物を取り出す時破砕しやすい問題を解決する焼盤とロースターを提供する。【解決手段】焼盤に複数の開口を設け、開口が焼盤の上表面と下表面を貫通し、それに、開口の内側壁に斜面を設け、斜面と下表面との間にある挟み角が斜面と上表面との間にある挟み角より小さくなり、そのように焼盤の中に成形された食べ物が下表面に位置する開口によって焼盤から突き出されるようにしたロースター及びその焼盤。【選択図】図２Ａ
2009131368.tif 000002
【特許請求の範囲】
【請求項１】
焼盤には少なくとも、一上表面と、前記上表面に対応する一下表面と、前記上表面と前記下表面を貫通する一開口と、前記開口の内側壁に設置する一斜面とを具備し、その中に前記斜面と前記下表面との間にある挟み角が前記斜面と前記上表面との間にある挟み角より小さくなって構成されるようにした焼盤。
【請求項２】
更に少なくとも、前記上表面に位置する一上焼盤と、前記下表面に位置する一下焼盤とを具備して構成されるようにしたことを特徴とする請求項１記載の焼盤。
【請求項３】
更に少なくとも、前記下焼盤に設置する一図案を有し、前記図案が図又は文字又は数字又は記号からなって構成されるようにしたことを特徴とする請求項２記載の焼盤。
【請求項４】
前記焼盤には、前記図案が突起図案になり、前記図案が前記焼盤の前記開口の中に位置されて構成されるようにしたことを特徴とする請求項３記載の焼盤。
【請求項５】
前記焼盤には、前記図案が凹形図案になり、前記図案が前記焼盤の前記開口に対応して構成されるようにしたことを特徴とする請求項３記載の焼盤。
【請求項６】
前記開口の形状の大きさが前記図案の大きさより大きくなって構成されるようにしたことを特徴とする請求項３記載の焼盤。
【請求項７】
前記開口の形状が図形になって構成されるようにしたことを特徴とする請求項１或いは請求項２或いは請求項３或いは請求項４或いは請求項５或いは請求項６記載の焼盤。
【請求項８】
ロースターには少なくとも、一上カバー及び前記上カバーに対応する一つのベースを有す一つのケースと、前記ケースの中に設置される一つの焼盤ダイスプレートと、前記ケースの中に配置されて前記焼盤ダイスプレートに加熱させる役を果たす一つのヒータとを具備し、それから、其の中前記焼盤ダイスプレートに少なくとも、一焼盤があり、前記焼盤に上表面と前記上表面に対応する下表面と前記上表面及び前記下表面が貫通される開口とを設け、それに斜面があり、前記開口の内側壁に設置され、前記斜面と前記下表面との間にある挟み角が前記斜面と前記上表面との間にある挟み角より小さくなって構成されるようにしたロースター。
【請求項９】
前記焼盤ダイスプレートに更に少なくとも、一上焼盤を有し、前記上カバーに設置されて、前記上焼盤が前記焼盤の上側に位置され、それに、下焼盤を有し、可分解的に前記ベースの上側に組み立てて、前記下焼盤が前記焼盤の下側に位置され、前記焼盤が可分解的に前記下焼盤の上側に組み立てて構成されるようにしたことを特徴とする請求項８記載のロースター。
【請求項１０】
ロースターに少なくとも、一取っ手を持ち、前記焼盤又は下焼盤に設置されて構成されるようにしたことを特徴とする請求項９記載のロースター。
【請求項１１】
少なくとも、一図案を有し、前記下焼盤の上側に設置され、前記図案が図又は文字又は数字又は記号からなって構成されるようにしたことを特徴とする請求項９記載のロースター。
【請求項１２】
前記図案が突起図案になり、前記図案が前記焼盤の開口に位置されて構成されるようにしたことを特徴とする請求項１１記載のロースター。
【請求項１３】
前記図案が凹形図案になり、前記図案が前記焼盤の前記開口に対応して構成されるようにしたことを特徴とする請求項１１記載のロースター。
【請求項１４】
前記開口の形状の大きさが前記図案の大きさより大きくなって構成されるようにしたことを特徴とする請求項１１記載のロースター。
【請求項１５】
前記開口の形状が一図形になって構成されるようにしたことを特徴とする請求項８或は請求項９或は請求項１０或は請求項１１或は請求項１２或は請求項１３或は請求項１４記載のロースター。
【発明の詳細な説明】
【技術分野】
【０００１】
本発明はロースターに関し、特に食べ物を取り出し易いロースター及びその焼盤に関する。
【背景技術】
【０００２】
ロースターは、その使い易い特長で使用者に喜ばれる。図１に、従来のロースター１００の立体分解を示す。このロースター１００は、上カバー１１０と、上加熱部品１２０と、上焼盤１３０と、下焼盤１４０と、下加熱部品１５０と、ベース１６０とを具備し、その中下焼盤１４０に複数のパタン図案１４２を有し、使用者は様々な形状と大きさが違う食べ物を簡単に焼き出すことが出来る。しかし、この従来のロースター１００では下焼盤１４０のパタン図案１４２の中から食べ物「例えばビスケット」を取り出すと、常に食べ物が砕け、食べ物の形状を破損する。
【発明の開示】
【発明が解決しようとする課題】
【０００３】
本発明の目的は、従来技術のロースターで食べ物の取り出しの不便さを解決して、食べ物の外形の完全性を高める目的を達成するために、便利に食べ物が取り出せるロースターを提供することである。
【課題を解決するための手段】
【０００４】
本発明の目的を実現するために、焼盤に複数の開口を設けることによって、焼盤の上表面と下表面を貫通して、開口の内側壁に斜面を設け、斜面と下表面との間にある挟み角が斜面と上表面との間にある挟み角より小さく、こうして焼盤の中に形成した食べ物を下表面に位置する開口によって、焼盤から食べ物を押し出し、一般の焼盤の中から食べ物を取り出し難いことが解決される。
【０００５】
一方、本発明はロースターも提供する。上と下表面の開口を貫通する焼盤を提供することによって、この開口で焼盤から食べ物を押し出し、こうすると、取り出される食べ物の完全性を高めるので、従来のロースターから食べ物を取り出す時破砕しやすい問題を解決した。
【０００６】
本発明の一つの好ましい実施例によると、この焼盤には、上表面と、上表面に対応する下表面と、上表面及び下表面を貫通する開口とを有し、その中開口の内側壁に一斜面を設け、その中斜面と下表面との間にある挟み角が斜面と上表面との間にある挟み角より小さくなる。
【０００７】
本発明のもう一つの好ましい実施例によると、このロースターには少なくとも、ケースと、焼盤ダイスプレートと、ヒータとを具備し、その中ケースに上カバーと、上カバーに対応するベースとを有する。焼盤ダイスプレートをケースの中に設置し、その中焼盤ダイスプレートには少なくとも、焼盤と、上焼盤と、下焼盤とを有する。焼盤には上表面と、上表面に対応する下表面と、上表面及び下表面を貫通する開口とを有し、その中開口の内側壁に一斜面を設け、その中斜面と下表面との間にある挟み角が斜面と上表面との間にある挟み角より小さくなる。上焼盤は焼盤の上側に位置し、下焼盤は焼盤の下側に位置する。ヒータはケースの内に設置し、焼盤ダイスプレートを加熱する役を果たす。
【０００８】
本発明の一つの好ましい実施例によって、上記のヒータは例えば加熱盤又は加熱管からなる。
【０００９】
上記のロースターを利用し、焼盤に食べ物を突き出す開口を設けることによって食べ物を取り出す時の外形の完全性を高めるため、本発明は他のロースターに比べると、焼盤の中から食べ物を便利に取り出すことができる構造のために、従来のロースターで食べ物を取り出す時破砕しやすい問題を解決できる。そのほかに、本発明の焼盤の開口中に設けられる斜面は、焼盤の中に形成される食べ物が開口から落ちることを防ぐ他に、この開口で焼盤から食べ物も突き出され、取り出される食べ物の完全性を高めて、従来の焼盤中から食べ物を取り出し難い問題を解決できる。
【００１０】
作用
本発明の焼盤を利用したロースターには、焼盤に食べ物を突き出す開口を設けることによって取り出す食べ物の外形の完全性を高め、他のロースターに比べて、焼盤から食べ物が取り出しやすい構造であるため、従来のロースターで食べ物を取り出す時破砕しやすい問題を解決した。
【発明を実施するための最良の形態】
【００１１】
実施例１には、図２Ａと図２Ｂのように、別々に本発明の一つの好ましい実施例のロースター２００の立体分解図と立体図を示す。本実施例の中で、このロースター２００はビスケットを作るビスケット装置であるが、これとは限らず、焼き上げた脆く柔らかい皮の餅も又は他の食べ物も作られるロースターである。ここでロースター２００の中には、ケース２１０と、ヒータ２２０と、焼盤ダイスプレート２３０とを具備し、其の中ケース２１０に上カバー２１２と、上カバー２１２に対応するベース２１４とを有し、且つこの上カバー２１２をベース２１４に可動的に連結する。取っ手２１２ａを上カバー２１２に設置し、上カバー２１２を持ち上げて焼盤ダイスプレート２３０を現す。複数の支えベース２１４ａをベース２１４に設置し、ベース２１４を一操作面（図示せず）より高く支える。支えベース２１４ａの底部に滑り止め（図示せず）を設け、滑りを止める役を果たす。ヒータ２２０には、上カバー２１２の内に設置される上ヒータ部品２２２と、ベース２１４の内に設置される下ヒータ部品２２４を有し、これらのヒータ部品２２２と２２４は焼盤ダイスプレートに加熱する役を果たす。
【００１２】
本実施例の中で、これらのヒータ部品２２２と２２４は加熱管であるが、これとは限らず、加熱板にも又は他のヒータにもなれ、ただヒータ部品２２２と２２４を焼盤ダイスプレート２３０に隣接して熱エネルギーを焼盤ダイスプレート２３０に伝導すればよい。焼盤ダイスプレート２３０をケース２１０の内に設置し、其の中焼盤ダイスプレート２３０に上焼盤２３２と焼盤２３４と下焼盤２３６とを有する。上焼盤２３２を上カバー２１２に設置し、下焼盤２３６を可分解的にベース２１４の上側に組立て、焼盤２３４を可分解的に下焼盤２３６の上側に組立て、其の中上焼盤２３２が焼盤２３４の上側に位置し、下焼盤２３６が焼盤２３４の下側に位置する。焼盤２３４は食べ物「例えばビスケット」を成形する構造を持ち、この構造には上表面２３４ａと、上表面２３４ａに対応する下表面２３４ｂと、上表面２３４ａ及び下表面２３４ｂを貫通する開口２３４ｃとを有し、図２Ｃのように示す。各開口２３４ｃの内側壁に一斜面２３４ｄを設け、この斜面２３４ｄと下表面２３４ｂとの間に挟み角θ１が斜面２３４ｄと上表面２３４ａとの間に挟み角θ１より小さくなる。これ以外、焼盤２３４と下焼盤２３６に別々に取っ手２３４ｅと２３６ａを設け、使用者に焼盤２３４と下焼盤２３６を便利に持ち上げさせる。
【００１３】
強調したいのは、焼盤２３４の重さと使用材料のコストを下げるために、食べ物２４０を成形する開口２３４ｃの内側壁の斜面２３４ｄのほか、焼盤２３４の他の部分の上表面２３４ａと下表面２３４ｂとの厚さが減少される。図２Ｄに、本発明のもう一つの好ましい実施例の焼盤ダイスプレートの側面の断面を示す。
【００１４】
そのほか、下焼盤２３６の上側に、複数の図案２３６Ｂも設け、開口２３４ｃの中にある食べ物２４０に違う外形を作らせる役を果たす。本実施例の中、これらの図案２３６ｂは突起図案からなるが、これとは限らず、凹形図案も使え、こう理解すると、突起図案ならば焼盤２３４の開口２３４ｃの中に位置し、凹形図案ならば焼盤２３４の開口２３４ｃに対応する。本実施例の中、これらの図案２３６ｂは図形からなるが、これとは限らず、文字も数字も記号も使える。これ以外、開口２３４ｃの形状が一図形になって、この開口２３４ｃの大きさが図案２３６ｂの大きさより大きくなる。
【００１５】
使用者はロースター２００の中から食べ物２４０を取り出したい時、まず焼盤２３４をロースター２００の中から取り出し、斜面２３４ｄがあるために、開口２３４ｃの中にある食べ物２４０が焼盤２３４の下表面２３４ｂから落ちず、焼盤２３４の上表面２３４ａからのみ落ち、使用者はこの焼盤２３４で食べ物２４０を運ぶ。次に、図２Ｅのように、焼盤２３４の上表面２３４ａを下側に回転し、斜面２３４ｄの斜角度及び食べ物２４０の重力作用を利用し、焼盤２３４の開口２３４ｃの中から食べ物２４０を落ちやすくて且つ皿２５０に落し、この際一部の食べ物２４０をまた焼盤２３４に嵌め合わせると、下表面２３４ｂに位置する開口２３４ｃも利用でき、箸２６０又は食器又は指又は他の工具で食べ物２４０を焼盤２３４から押し出す。
【００１６】
発明の効果
以上述べたように、本発明のロースターの構造の特長は焼盤ダイスプレートが上焼盤と、焼盤と、下焼盤との三部分からなり、その中焼盤に食べ物を押し出す開口を設け、使用者が便利に食べ物を取り出せることである。その為に、本発明は他のロースターに比べると、焼盤の中から食べ物を便利に取り出せる構造のため、従来のロースターで食べ物を取り出す時破砕しやすい問題を解決できる。そのほか、本発明の焼盤の開口中に斜面を設け、焼盤の中に形成される食べ物を開口から落ちるのを防ぐと同時に、またこの開口で食べ物を焼盤に押し出し、取り出してからの食べ物の完全性を高め、このように従来の焼盤の中から食べ物を取り出すのが難しい問題を解決した。
【００１７】
以上の、本発明の好ましい実施例から分かるように、本発明のロースターを利用すると、焼盤ダイスプレートにある焼盤と下焼盤を可分解式のダイスプレート化に設計し、焼盤と下焼盤の上に別々に食べ物の外形を決める開口と図案を有す特長のために、使用者が違う開口形状の焼盤と違う図案の下焼盤を換えることによって、違う外形の食べ物を作る目的を果たす。
【００１８】
以上のように、本発明で複数の好ましい実施例を開示したが、本発明のデザインアイディアはこれに限定されるものではなく、当業者が、本発明のアイディアと範囲に基づいて色々変形させることが可能であり、それらは本発明の請求項の保護範囲から排除するものではない。
【図面の簡単な説明】
【００１９】
【図１】従来の一つのロースターの立体分解図を示す。
【図２Ａ】本発明の一つの好ましい実施例のロースターの立体分解図を示す。
【図２Ｂ】図２Ａのロースターの立体図を示す。
【図２Ｃ】図２Ａの焼盤ダイスプレートの側面の断面図を示す。
【図２Ｄ】本発明のもう一つの好ましい実施例の焼盤ダイスプレートの側面の断面図を示す。
【図２Ｅ】図２Ｄの中の焼盤から食べ物を取り出す実施例を示す。
【符号の説明】
【００２０】
２００  ロースター
２１０  ケース
２２０  ヒータ
２３０  焼盤ダイスプレート
２３４  焼盤
２４０  食べ物
２５０  皿
２６０  箸
【図１】
2009131368.tif 000003
【図２Ａ】
2009131368.tif 000004
【図２Ｂ】
2009131368.tif 000005
【図２Ｃ】
2009131368.tif 000006
【図２Ｄ】
2009131368.tif 000007
【図２Ｅ】
2009131368.tif 000008